(57)【特許請求の範囲】
【請求項１】
被写体像を光電変換する撮像手段と、
前記撮像手段に結像する光束を遮蔽する遮蔽手段と、
前記遮蔽手段を開状態に保つバルブ手段と、
外部のストロボ発光に同期した同調信号を出力する同調手段と、
前記同調手段から同調信号が出力されるまで、前記撮像手段に生じる電荷を排出する排出手段と、
前記バルブ手段により遮蔽手段が開いた状態で、前記同調手段から同調信号が出力されると、前記撮像手段に蓄積された電荷を転送して画像信号を生成する転送手段と、
を備えたことを特徴とする外部同調カメラ。
【請求項２】
請求項１に記載の外部同調カメラにおいて、
前記同調手段は、外部のストロボ光を受光することにより、前記ストロボ光に同期した前記同期信号を出力する
ことを特徴とする外部同調カメラ。
【請求項３】
請求項１または請求項２に記載の外部同調カメラにおいて、
前記バルブ手段は、
前記遮蔽手段が開いた状態で、予め定められた時間が経過すると、前記遮蔽手段を閉状態に戻す
ことを特徴とする外部同調カメラ。
【請求項４】
請求項１乃至３のいずれか１項に記載の外部同調カメラにおいて、
前記転送手段により取り出された画像信号を記録媒体に記録する記録手段を有し、
前記バルブ手段は、前記記録手段に前記記録媒体が装填されていないときは、遮蔽手段を閉状態に保つ
ことを特徴とする外部同調カメラ。
【請求項５】
請求項１乃至４のいずれか１項に記載の外部同調カメラにおいて、
外部から連写モードが設定される連写設定手段を有し、
前記転送手段は、前記連写設定手段に連写モードが設定された状態では、前記同調手段から前記同調信号が出力されるたびに、前記撮像手段に蓄積された電荷を転送する
ことを特徴とする外部同調カメラ。
【請求項６】
請求項１乃至５のいずれか１項に記載の外部同調カメラにおいて、
外部のストロボ発光に同調して撮像する撮影モードの表示を行う表示手段と、  前記バルブ手段により前記遮蔽手段が開いた状態では、前記表示手段の表示を点滅させる表示点滅手段とを有した
ことを特徴とする外部同調カメラ。
【請求項７】
請求項１乃至５のいずれか１項に記載の外部同調カメラにおいて、
外部から露出値が手動設定される露出設定手段と、
前記露出設定手段により設定される露出値と適正露出値との差を表示する露出差表示手段とを有し、
前記露出差表示手段は、前記バルブ手段により前記遮蔽手段が開いた状態では、露出値と適正露出値との差を表示しない
ことを特徴とする外部同調カメラ。
【発明の詳細な説明】
【０００１】
【産業上の利用分野】
本発明は、外部のカメラによるストロボ発光に同調して撮像を行う外部同調カメラに関する。
【０００２】
【従来の技術】
一般に、銀塩カメラでは、撮影の終了後にフィルムの現像およびプリントなどの作業を行うため、撮影者はその場で即座に写真の仕上がりを確認することができない。
そこで、スタジオ撮影などにおいては、本番の撮影に先立って、インスタント写真用のカメラで予備の撮影が行われ、そのインスタント写真の仕上がりに基づいて、被写体への照明が調節されたり、露出値の補正などが行われていた。
【０００３】
【発明が解決しようとする課題】
しかしながら、従来は、本番の撮影に先立って、インスタント写真の撮影が行われるために、本番の撮影におけるシャッターチャンスの適否を判定することができないという問題点があった。
そのため、例えば、被写体である人物が目を閉じていたか否かを判断できず、万全を期すためには、複数枚の銀塩写真を撮影しておく必要があった。
【０００４】
さらに、このような問題点を避けるために、銀塩カメラ側からレリーズに同期したトリガ信号を出力させ、このトリガ信号に同期してインスタントカメラ側のシャッターを切ることが考えられるが、そのためには、銀塩カメラ側にレリーズの瞬間にトリガ信号を出力する端子を特別に備えなければならず、一般的な銀塩カメラを使用できないという問題点があった。
【０００５】
特に、レリーズが押されてからシャッターが切られるまでの所要時間は、カメラの機種ごとに異なるので、レリーズに同期したトリガ信号のみで、シャッターチャンスを完全に同期させることは困難であった。
また、銀塩カメラからストロボ同調用のＸ接点が出力されるので、このＸ接点をインスタントカメラのレリーズソケットに接続することにより、銀塩写真とインスタント写真とのレリーズのタイミングを同調させることが考えられる。
【０００６】
しかし、図１１に示されるように、Ｘ接点は、銀塩カメラのシャッターが全開になった瞬間に出力される。したがって、このＸ接点をトリガにしてインスタントカメラのシャッターを駆動すると、シャッターの動作に要する時間だけインスタント写真のレリーズが遅れるため、銀塩写真とインスタント写真とのレリーズのタイミングを同調させることができなかった。
【０００７】
すなわち、Ｘ接点が出力されてから、ストロボ発光が終了するまでの時間は、高々 数ｍsecであり、その時間内にインスタントカメラのシャッターを切ることは不可能であった。
【０００８】
本発明は、このような問題点を解決するために、銀塩写真の仕上がりをその場で予想し、かつシャッターチャンスの適否を的確かつ容易に確認できる外部同調カメラを提供することを目的とする。
【０００９】
【課題を解決するための手段】
図１は、請求項１〜３に対応する原理ブロック図である。
【００１０】
請求項１に記載の発明は、被写体像を光電変換する撮像手段１と、撮像手段１に結像する光束を遮蔽する遮蔽手段２と、その遮蔽手段２を開状態に保つバルブ手段３と、外部のストロボ発光に同期した同調信号を出力する同調手段４と、その同調手段４から同調信号が出力されるまで、撮像手段１に生じる電荷を排出する排出手段５と、バルブ手段３により遮蔽手段２が開いた状態で、同調手段４から同調信号が出力されると、撮像手段１に蓄積された電荷を転送して画像信号を生成する転送手段６とを備えたことを特徴とする。
【００１１】
請求項２に記載の発明は、請求項１に記載の外部同調カメラにおいて、同調手段は、外部のストロボ光を受光することにより、ストロボ光に同期した同期信号を出力することを特徴とする。
請求項３に記載の発明は、請求項１または請求項２の外部同調カメラにおいて、バルブ手段３が、遮蔽手段２が開いた状態で予め定められた時間が経過すると、その遮蔽手段２を閉状態に戻すことを特徴とする。
図２は、請求項４に対応する原理ブロック図である。
請求項４に記載の発明は、請求項１乃至３のいずれか１項の外部同調カメラにおいて、転送手段６により取り出された画像信号を記録媒体に記録する記録手段７を有し、バルブ手段３は、その記録手段７に記録媒体が装填されていないときは、遮蔽手段２を閉状態に保つことを特徴とする。
【００１２】
図３は、請求項５に対応する原理ブロック図である。
請求項５に記載の発明は、請求項１乃至４のいずれか１項の外部同調カメラにおいて、外部から連写モードが設定される連写設定手段８を有し、転送手段６は、連写設定手段８に連写モードが設定された状態では、同調手段４から同調信号が出力されるたびに、撮像手段１に蓄積された電荷を転送することを特徴とする。  図４は、請求項６に対応する原理ブロック図である。
【００１３】
請求項６に記載の発明は、請求項１乃至５のいずれか１項の外部同調カメラにおいて、外部のストロボ発光に同調して撮像する撮影モードの表示を行う表示手段９と、バルブ手段３により遮蔽手段２が開いた状態では、表示手段９の表示を点滅させる表示点滅手段９ａとを有したことを特徴とする。
図５は、請求項７に対応する原理ブロック図である。
【００１４】
請求項７に記載の発明は、請求項１乃至５のいずれか１項の外部同調カメラにおいて、外部から露出値が手動設定される露出設定手段１０と、その露出設定手段１０により設定される露出値と適正露出値との差を表示する露出差表示手段１０ａとを有し、その露出差表示手段１０ａは、バルブ手段３により遮蔽手段２が開いた状態では、露出値と適正露出値との差を表示しないことを特徴とする。
【００１５】
【作用】
請求項１の外部同調カメラでは、バルブ手段３により遮蔽手段２が開放され、撮像手段１に被写体像が結像する。
排出手段５は、被写体像の結像に伴って蓄積される電荷を撮像手段１から逐次排出して、電荷の蓄積を防止する。
【００１６】
この状態において、外部のカメラがストロボ撮影を行うと、同調手段４は、そのストロボ発光に同期した同調信号を出力する。
このような同調信号が出力されると、排出手段５による電荷の排出動作が停止され、所定時間だけ電荷の蓄積が行われた後に、転送手段６によって撮像手段１に蓄積された電荷が転送されて、画像信号が生成される。
【００１７】
このように、遮蔽手段２を予め開状態に保って、外部のカメラの撮影を待機することにより、遮蔽手段２の開閉に所要する遅れなく、外部のカメラの撮影と同じタイミングで画像信号が取り出される。
【００１８】
請求項２の外部同調カメラでは、外部のストロボ光を受光することによって、ストロボ光に同期した同期信号を生成する。
請求項３の外部同調カメラでは、遮蔽手段２の開状態が、予め定められた時間を超過すると、バルブ手段３は遮蔽手段２を閉じる。
このように、遮蔽手段２を開く時間を制限することにより、遮蔽手段２を開状態に保つために要する電力量が節約される。
請求項４の外部同調カメラでは、記録手段７は、記録媒体が装填されていない場合、画像信号の記録を行うことが不可能なので、バルブ手段３は遮蔽手段２を開かない。
【００１９】
このように、バルブ手段３が遮蔽手段２を開かないことにより、遮蔽手段２を開状態に保つために無駄に消費される電力量が省かれる。
請求項５の外部同調カメラでは、連写設定手段８により連写モードが設定されると、バルブ手段３は遮蔽手段２の開状態を継続して保ち、その間に、転送手段６は、同調信号が出力されるたびに、撮像手段１から画像信号を取り出す。
【００２０】
このようにすることにより、外部のカメラの連写撮影に同期して画像信号が逐次取り出される。
請求項６の外部同調カメラでは、表示手段９が、外部のストロボ撮影に同調して被写体を撮像する撮影モードの表示を行う。表示点滅手段９ａは、遮蔽手段２が開いている期間、この表示を点滅させる。
【００２１】
このように、表示を点滅させることより、外部のストロボ撮影に同期して撮像を待機している状態を強調して表示することができる。
請求項７の外部同調カメラでは、外部から手動で露出値を設定する露出設定手段１０を備え、設定された露出値と、適正露出値との露出差を表示する露出差表示手段１０ａを備える。
【００２２】
一般に、操作者は、露出値を手動設定する場合、露出差表示手段１０ａに表示される露出差を参考にする。
しかし、遮蔽手段２が開いた状態では、撮像手段１の光学系から、図示しない測光系に光を取り込むことができないので、適正露出値を正確に得ることができない。そこで、露出差の表示を行なわないことにより、不正確な適正露出値を参考にして露出値を手動設定されることがなくなる。
【００２３】
【実施例】
以下、図面に基づいて本発明の実施例を説明する。
図６は、請求項１〜７に対応する実施例を示す図である。
図７は、本実施例の電子カメラの上面図である。
これらの図において、撮影レンズ２１の光軸上にはクイックリターンミラー２２が斜めに配置され、クイックリターンミラー２２の反射方向には、焦点板２３およびレンズ２３ａを介してハーフミラー２４が配置される。このハーフミラー２４の透過方向には測光部２５が配置され、反射方向にはファインダ光学系が配置される。
【００２４】
一方、クイックリターンミラー２２の背面部には、測距部２６が配置される。このクイックリターンミラー２２の後方には、縮小光学系を構成するレンズ２７ａ，ミラー２７ｂ，２７ｃおよびコンデンサレンズ２８が配置される。
このコンデンサレンズ２８の光軸上には、先幕３０ａおよび後幕３０ｂからなるシャッター３０を介して、ＣＣＤ素子３１の受光部３１ａが配置される。
【００２５】
このＣＣＤ素子３１の基板上には、電荷排出回路３１ｂおよび転送回路３１ｃが形成され、転送回路３１ｃの出力は、撮像信号処理回路３２，Ａ／Ｄ変換部３３を介して、フレームメモリ３４に入力される。
このフレームメモリ３４の出力は、圧縮処理回路３５および記録回路３６を介して、メモリカード３７に記録される。このメモリカード３７の有無を示す信号は、マイクロプロセッサ３８の入力端子に取り込まれる。
【００２６】
また、マイクロプロセッサ３８の入力端子には、ストロボ受光部３９，連写切換スイッチ４０，コマンドダイヤル４１，露出モードスイッチ４２およびレリーズ４３の出力端子が個別に接続される。
一方、マイクロプロセッサ３８の出力端子は、ＣＣＤ素子３１，ミラー駆動機構４４，絞り駆動機構４５，シャッター駆動機構４６，本体表示部４７ａおよびファインダ内表示部４７ｂに個別に接続される。
【００２７】
なお、本実施例と請求項１〜３に記載の発明との対応関係については、受光部３１ａは撮像手段１に対応し、クイックリターンミラー２２およびシャッター３０は遮蔽手段２に対応し、ミラー駆動機構４４，シャッター駆動機構４６およびマイクロプロセッサ３８はバルブ手段３に対応し、ストロボ受光部３９およびマイクロプロセッサ３８は同調手段４に対応し、電荷排出回路３１ｂは排出手段５に対応し、転送回路３１ｃは転送手段６に対応する。
【００２８】
また、本実施例と請求項４に記載の発明との対応関係については、撮像信号処理回路３２，Ａ／Ｄ変換部３３，フレームメモリ３４，圧縮処理回路３５および記録回路３６は、記録手段７に対応する。
さらに、本実施例と請求項５に記載の発明との対応関係については、連写切換スイッチ４０およびマイクロプロセッサ３８は、連写設定手段８に対応する。
【００２９】
また、本実施例と請求項６に記載の発明との対応関係については、本体表示部４７ａは表示手段９に対応し、マイクロプロセッサ３８は表示点滅手段９ａに対応する。
さらに、本実施例と請求項７に記載の発明との対応関係については、コマンドダイヤル４１および露出モードスイッチ４２は露出設定手段１０に対応し、ファインダ内表示部４７ｂは露出差表示手段１０ａに対応する。
【００３０】
図８および図９は、本実施例の動作を示す流れ図である。
また、図１０は、本実施例のタイミングチャートである。
以下、これらの図を用いて本実施例の動作を説明する。
【００３１】
操作者は外部同調撮影を行うために、まず、露出モードスイッチ４２をマニュアル露出モードに切り換え、コマンドダイヤル４１を回動して、「外部同調モード」に設定する。
このように、外部同調モードおよびマニュアル露出モードが設定されると（ステップＳ１，Ｓ２）、マイクロプロセッサ３８はメモリカード３７が装填されているか否かを判定する（ステップＳ３）。
【００３２】
メモリカード３７が装填されているときは、本体表示部４７ａのシャッター速度の箇所に「ＳＹ」の文字を表示し、さらに、ファインダ内表示部４７ｂの露出差表示を消灯して、外部同調モードに設定されたことを示す（ステップＳ４）。
この状態でレリーズ４３が全押しされるまで待機し、その間にマニュアル露出モードが解除されたり、メモリカード３７が抜き出されると、「ＳＹ」の表示を消灯して通常の動作に戻る（ステップＳ５，Ｓ６，Ｓ７）。
【００３３】
一方、レリーズ４３が全押しされると（ステップＳ８）、マイクロプロセッサ３８は「ＳＹ」の表示を点滅させて外部同調の待機状態を示す（ステップＳ９）。
次に、マイクロプロセッサ３８は、ミラー駆動機構４４を介して、クイックリターンミラー２２を跳ね上げた状態に保持し（ステップＳ１０）、さらに、シャッター駆動機構４６を介して、先幕３０ａを開いてシャッター３０をバルブ状態に保持する（ステップＳ１１）。
【００３４】
このようにＣＣＤ素子３１の光路を開けることにより、ＣＣＤ素子３１の受光部３１ａに被写体像が結像する。この状態が１０秒を越えると（ステップＳ１２）、クイックリターンミラー２２および先幕３０ａを元の位置に戻して、光路を閉じる。
一方、光路が開いている間、マイクロプロセッサ３８は、電荷排出回路３１ｂを介して、受光部３１ａに蓄積される電荷を逐次排出し、電荷の蓄積を防止する（ステップＳ１３）。
【００３５】
この状態で、外部のカメラがストロボ撮影を行うと、ストロボ受光部３９は、そのストロボ光を受光して、同調信号を出力する。
マイクロプロセッサ３８は、この同調信号を取り込むと（ステップＳ１４）、電荷排出回路３１ｂの排出動作を停止させ、所定時間だけ電荷の蓄積を行う。
ここで、転送回路３１ｃは、受光部３１ａに蓄積された電荷を転送して、画像信号を生成する。この画像信号は、圧縮処理などを施され、メモリカード３７に記録される（ステップＳ１５）。
【００３６】
ここで、連写切換スイッチ４０により連写モードが設定されていると（ステップＳ１６）、光路を開いた状態でステップＳ１２に戻リ、次回のストロボ撮影を待機する。
一方、単写モードに設定されているか、あるいは光路を開いた状態が１０秒を超過すると、マイクロプロセッサ３８は、「ＳＹ」の点滅を解除し（ステップＳ１８）、先幕３０ａおよびクイックリターンミラー２２を元の位置に戻す（ステップＳ１９）。
【００３７】
この状態で、レリーズの待機状態（ステップＳ５）に戻り、以上の動作を繰り返す。
このように、本実施例の電子カメラは、クイックリターンミラー２２とシャッター３０を開状態に保持し、かつＣＣＤ素子３１に蓄積される電荷を逐次排出する状態で、外部のカメラのストロボ撮影を待機する。
【００３８】
そのため、クイックリターンミラー２２やシャッター３０の開閉に所要する遅れなく、外部のカメラのストロボ撮影と同じタイミングで画像信号を生成し、即座に確認することができる。
したがって、外部のカメラのシャッターチャンスの適否を的確に判定することができるので、従来のように、万全を期して複数枚の写真を撮影しておく必要がなく、フィルムを無駄に消費することがなくなる。
【００３９】
また、同調信号として、外部のカメラに標準的に装備されるＸ接点を使用することができるので、外部のカメラとして、特殊なカメラを必要とせずに、一般的な銀塩カメラを使用することができる。
また、光路を開いた状態で、予め定められた時間を超過すると、クイックリターンミラー２２およびシャッター３０を閉じるので、これらを開状態に保つために要する電力量を節約することができる。
【００４０】
さらに、メモリカード３７が装填されていない場合、マイクロプロセッサ３８は、クイックリターンミラー２２およびシャッター３０を開かない。そのため、これらを開状態に保つために無駄に消費される電力量を大幅に省くことができる。
また、連写モードに設定されていると、光路を開いた状態で継続して、ストロボ発光を待機するので、外部のカメラの連写撮影に同期して、画像信号を逐次取り出すことができる。
【００４１】
さらに、光路を開いて待機している期間、「ＳＹ」の表示を点滅させることより、外部のストロボ撮影の待機状態を強調して表示することができる。
また、光路を開いた状態では、ファインダ内表示部４７ｂの露出差表示を消灯するので、不正確な適正露出値を参考にして露出値を手動設定されるおそれがなくなる。
【００４２】
なお、本実施例では、ＣＣＤ素子３１を撮像素子として使用しているが、それに限定されるものではなく、ＭＯＳ撮像素子，撮像管その他の撮像素子を使用してもよい。
また、本実施例では、クイックリターンミラー２２およびシャッター３０を用いて、光路の開閉を行なっているが、それに限定されず、例えば、レンズシャッターカメラでは、レンズシャッターを用いて光路の開閉を行なってもよい。
【００４３】
さらに、本実施例では、光路を開く時間を１０秒に制限しているが、それに限定されるものではなく、任意の時間に設定してもよい。
また、本実施例では、ストロボ受光部３９を設けて同調信号を生成しているが、このような構成に限定されず、外部のカメラのＸ接点を同調信号として取り込んでもよい。
【００４４】
さらに、本実施例では、ストロボ受光部３９をカメラ本体に一体的に設けているが、それに限定されるものではなく、ストロボ受光部３９をカメラ本体に設けられた入力端子に着脱可能な別体としてもよい。また、この入力端子をＸ接点の入力端子と兼用してもよい。
また、本実施例では、二次結像面であるＣＣＤ素子３１の近傍にシャッター３１を配置しているが、この構成に限定されるものではなく、撮影レンズ２１による一次結像面であるレンズ２７ａの近傍にシャッター３１を配置してもよい。
【００４５】
【発明の効果】
以上説明したように、請求項１，２の外部同調カメラでは、バルブ手段が遮蔽手段を開状態に保持して、外部のカメラのストロボ撮影を待機するので、遮蔽手段の開閉に要する遅れが生じず、外部のカメラのストロボ撮影と同じタイミングで画像信号を取り出すことができる。
【００４６】
したがって、外部同調カメラから取り出された画像信号に基づいて、外部のカメラにおけるシャッターチャンスの適否を容易かつ的確に判定することができる。  また、従来のように万全を期して、複数枚の銀塩写真などを撮影しておく必要がなく、フィルムを無駄に消費することがなくなる。
さらに、同調手段として、外部のカメラに標準的に装備されるＸ接点を使用することができるので、外部のカメラとして、一般的な銀塩カメラを使用することができる。
【００４７】
請求項３の外部同調カメラでは、予め定められた時間を超過すると、バルブ手段が遮蔽手段を閉じるので、遮蔽手段を開状態に保つために要する電力量を大幅に節約することができる。
請求項４の外部同調カメラでは、記録媒体が装填されていないときに、バルブ手段が遮蔽手段を開かない。
【００４８】
したがって、遮蔽手段を開状態に保つために無駄に消費される電力量を大幅に省くことができる。
請求項５の外部同調カメラでは、遮蔽手段の開状態を保ちつつ、同調信号に同期して画像信号を逐次に取り出すので、外部のカメラの連写撮影に同期して、画像信号を取り出すことができる。
【００４９】
請求項６の外部同調カメラでは、遮蔽手段が開いている期間、撮影モードの表示を点滅させることより、外部同期の待機状態を強調して表示することができる。
請求項７の外部同調カメラでは、遮蔽手段が開いた状態では、適正露出値を正確に得ることができないので、露出差の表示を行なわない。そのため、不正確な適正露出値を参考にして露出値を手動設定されるおそれがなくなる。
このように、本発明を適用したカメラを用いることにより、銀塩写真の仕上がりをその場で速やかに予想し、かつシャッターチャンスの適否を容易かつ的確に確認することができる。
【図面の簡単な説明】
【図１】  請求項１〜３に対応する原理ブロック図である。
【図２】  請求項４に対応する原理ブロック図である。
【図３】  請求項５に対応する原理ブロック図である。
【図４】  請求項６に対応する原理ブロック図である。
【図５】  請求項７に対応する原理ブロック図である。
【図６】  請求項１〜７の実施例を示す図である。
【図７】  本実施例の電子カメラの上面図である。
【図８】  本実施例の動作を示す流れ図（１）である。
【図９】  本実施例の動作を示す流れ図（２）である。
【図１０】  本実施例のタイミングチャートである。
【図１１】  Ｘ接点のタイミングを示す説明図である。
【図１】
0003660384.tif 000002
【図２】
0003660384.tif 000003
【図３】
0003660384.tif 000004
【図４】
0003660384.tif 000005
【図５】
0003660384.tif 000006
【図６】
0003660384.tif 000007
【図７】
0003660384.tif 000008
【図８】
0003660384.tif 000009
【図９】
0003660384.tif 000010
【図１０】
0003660384.tif 000011
【図１１】
0003660384.tif 000012